(57)【要約】  履物であって、上面および下面を有する中敷であって、長さおよび幅を有し、縦軸および横軸を有し、そこを貫通する複数の開口を画定する、中敷と、中敷に対し下方へ延在する外底であって、中敷の少なくとも一部を支持し、中敷とは反対側の接地面を有し、接地面から中敷に延在するチャネルを画定し、複数の開口のうちの少なくとも１つがチャネルと連通する、外底と、中敷および外底のうちの少なくとも１つに取り付けられ甲皮であって、中敷にわたる足受容開口を画定する、甲皮と、を含む、履物。【選択図】図１
2021511870.tif 000002
【特許請求の範囲】
【請求項１】
履物であって、
上面および下面を有する中敷であって、長さ、幅、および周縁を有し、縦軸および横軸を有し、
そこを貫通する少なくとも１つの開口を画定する、中敷と、
前記中敷に対し下方へ延在する外底であって、前記中敷の少なくとも一部を支持し、
前記中敷とは反対側の接地面を有し、
前記接地面から前記中敷に延在するチャネルを画定し、前記少なくとも１つの開口が、前記チャネルと連通する、外底と、
前記中敷および前記外底のうちの少なくとも１つに取り付けられた甲皮であって、前記中敷にわたる足受容開口を画定する、甲皮と、を備える、履物。
【請求項２】
前記少なくとも１つの開口が、１ｍｍ２〜約５ｃｍ２の面積を有する、請求項１に記載の履物。
【請求項３】
前記少なくとも１つの開口が、１以上１０以下のメッシュを有する、請求項１に記載の履物。
【請求項４】
前記少なくとも１つの開口が、０．５ｃｍよりも大きい主寸法を有する、請求項１に記載の履物。
【請求項５】
前記中敷が、その間に前記少なくとも１つの開口を画定する縦および部材から形成されたスクリーンを含む、請求項１に記載の履物。
【請求項６】
縦部材および横部材が、編み合わされている、請求項５に記載の履物。
【請求項７】
前記縦部材および横部材が、ポリマーから形成されている、請求項５に記載の履物。
【請求項８】
前記少なくとも１つの開口が、第１の開口および第２の開口を含み、前記第１の開口および第２の開口が、互いに対して異なる構成を有する、請求項１に記載の履物。
【請求項９】
前記外底が、前記中敷の前記周縁の下に位置し、前記チャネルが、前記周縁の内方に位置する、請求項１に記載の履物。
【請求項１０】
前記外底が、土台から上方に延在して前記外底の上面を支持する第１の脚および第２の脚を含む、トラス状部材を有するフレームを含む、請求項１に記載の履物。
【請求項１１】
前記第１の脚が、前記土台に対してある角度で延在し、前記角度が、前記フレームの前足部分から前記フレームの踵部分に、前記土台に対して増加する、請求項１０に記載の履物。
【請求項１２】
前記外底が、上方に延在して、前記フレーム上にフレーム上方に支持される凹状の上面を形成する側壁を含み、前記の踵部分における前記側壁の高さが、前記フレームの前足部分における前記側壁の高さよりも高い、請求項１０に記載の履物。
【請求項１３】
前記外底が、前記フレームの前記土台に取り付けられたトレッドを含む、請求項１０に記載の履物。
【請求項１４】
前記接地面が、トレッドを有する、請求項１に記載の履物。
【請求項１５】
前記甲皮が、前記中敷および前記外底のうちの少なくとも１つに取り付けられた少なくとも１つのストラップを含む、請求項１に記載の履物。
【請求項１６】
前記甲皮が、下方に延在して、そのつま先部分で前記中敷に接触する端と、前記端に対して横外向きに延在し、前記中敷の前記周縁の近くの前記端の後方で、前記中敷および前記外底のうちの少なくとも１つに取り付けられた、第１のストラップ部分および第２のストラップ部分と、を含む、ｙ形状ストラップを含む、請求項１に記載の履物。
【請求項１７】
前記履物が、前記端に隣接する前記中敷の部分を被覆するつま先パッドをさらに備える、請求項１６に記載の履物。
【請求項１８】
前記外底が、緩衝作用層および静止摩擦を含む、請求項１に記載の履物。
【請求項１９】
履物であって、複数の開口を画定する中敷であって、前記複数の開口のうちの１つが、０．５ｃｍより大きい主寸法を有する、中敷と、前記中敷と支持関係にある外底であって、前記開口に連通するチャネルを画定する、外底と、前記中敷および前記外底のうちの少なくとも１つに取り付けられた甲皮であって、足受容開口を画定する、甲皮と、を備える、履物。
【請求項２０】
履物であって、複数の開口を画定するポリマー材層を含む中敷であって、前記複数の開口のうちの少なくとも１つが、０．５ｃｍよりも大きな主寸法を有し、周縁を画定する、中敷と、上面および接地面を含む、外底であって、前記接地面が、上面から離間し、前記中敷の下に位置し、前記外底が、前記中敷の前記周縁に対して支持関係にあり、前記外底が、前記周縁の内方かつ前記中敷の下のチャネルを画定し、前記チャネルが、上方に開放して前記複数の開口と連通し、前記外底の前記接地面に隣接して外方に開放する、外底と、前記中敷および前記外底のうちの少なくとも１つに取り付けられた甲皮であって、足受容開口を画定する、甲皮と、を備える、履物。
【発明の詳細な説明】
【技術分野】
【０００１】
本出願は、履物に関する。より具体的には、本出願は、破片が着用者の足の下に閉じ込められる可能性を低減するために、破片が中敷を通過することを可能にする中敷を有する履物に関する。最も具体的には、本出願は、破片が中敷を通過して履物から出ることを可能にする、外底のチャネルと連通する開口を有する履物の中敷に関する。
【図面の簡単な説明】
【０００２】
【図１】本開示の一例による履物の上面図である。
【図１Ａ】図１の線Ａ−Ａに沿って見られ得る断面図である。
【図１Ｂ】図１の線Ｂ−Ｂに沿って見られ得る断面図である。
【図１Ｃ】図１の線Ｃ−Ｃに沿って見られ得る断面図である。
【図２】その底面図である。
【図３】その側面図である。
【図４】本開示の別の例による履物の上面図である。
【図５】その側面図である。
【図６Ａ】本開示のさらに別の例による履物の上面斜視図である。
【図６Ｂ】別の例による履物の図６Ａと同様の上面斜視図である。
【図７】さらに別の例による履物の底面図である。
【図８】その側面図である。
【図９】図７および図８に示す例による中敷の詳細を示す斜視図である。
【図１０】図７および図８に示す例による外底および甲皮の詳細を示す斜視図である。
【図１１】本開示のさらなる例による履物の斜視図である。
【図１２】中敷の詳細を示すために甲皮が取り除かれた、本開示のなおさらなる例による履物の斜視図である。
【０００３】
必ずしも一定の縮尺で描かれていない図面において、同様の数字は異なる図において同様の構成要素を説明することがある。異なる文字の接尾辞を有する類似の数字は、類似の構成要素の異なる事例を表し得る。図面は、本文書で考察されている様々な例を一般的に示しており、限定するものではない。
【発明の概要】
【０００４】
本開示の例は、概して、上面および下面を有する中敷であって、長さおよび幅を有し、縦軸および横軸を有し、そこを通る複数の開口を画定する、中敷と、中敷に対して下方に延在する外底であって、中敷の少なくとも一部を支持する、外底と、中敷と向かい合う接地面を有する外底であって、外底がチャネルを画定し、チャネルが接地面から中敷まで延在し、複数の開口のうちの少なくとも１つがチャネルと連通する、外底と、中敷および外皮のうちの少なくとも１つに取り付けられた甲皮であって、中敷を覆う足受容開口を画定する、甲皮と、を備える履物に関する。
【０００５】
別の例は、複数の開口を画定する中敷を備える履物に関するもので、複数の開口のうちの少なくとも１つは、０．５ｃｍよりも大きな主寸法を有し、外底は中敷に対して支持され、開口と連通するチャネルを画定し、甲皮は中敷および外底のうちの少なくとも１つに取り付けられ、甲皮は足受容開口を画定する。
【０００６】
さらなる例は、履物に関し、履物は、そのうちの少なくとも１つが０．５ｃｍよりも大きい主寸法を有する、複数の開口を画定するポリマー材料層を含む中敷であって、周縁を画定する、中敷と、上面、および上面から離間し、中敷の下に位置する接地面を含む外底であって、中敷の周縁に対して支持関係にあり、周縁の内方かつ中敷の下のチャネルを画定し、チャネルが上方に開いて複数の開口と連通し、外底の接地面に隣接して外方に開く、外底と、中敷および外底のうちの少なくとも１つに取り付けられた甲皮であって、足受容開口を画定する、甲皮と、を備える。
【発明を実施するための形態】
【０００７】
本開示の例は、概して、履物に関する。履物は、多くの場合、様々な活動および環境のための目的で作られたものである。特定の環境のために作られた履物の一例は、サンダルである。サンダルは、軽量かつ通気性が良いように設計されており、一般的にはより温暖な環境における使用に対して適合されている。さらに、サンダルは、ビーチ、プール、シャワー、クリーク、沢、小川、川への旅行を含む、水が存在している活動および場所で使用されるように設計されていることが多い。それらはまた、ボート、セーリング、カヤック、カヌー、ラフティングなどを含む、水上での活動中に着用され得る。そのために、サンダルは、軽量で、通常は防水性または耐水性の素材で作製されている。サンダルは、足を支持する中敷が丈夫でありながらも柔軟性のあるものが多い。ほとんどの例では、中敷は、製造を容易にし、かつ足の底部を被覆する保護層を提供するために、丈夫である。１本以上のストラップによって作製されていることが多い甲皮の最小限の性質により、着用者の足から自由に水を流すことを可能にする。しかしながら、着用者の足に対する丈夫な中敷の輪郭は、少量の水が閉じ込められる可能性があり、グシャグシャする音と足の下の好ましくない湿気の感覚を引き起こし得る。水の近くまたは水中での活動中に、サンダルまたは他の履物を履いていると、破片が中敷に引き込まれることがよくある。破片には、着用者の足と中敷との間に挟まれて不快感を引き起こす可能性のある、水域で見つかる小岩、小石、ビーチガラス、他の物質を含む様々な物体が含まれ得る。そのために、着用者の足の下からの排水を容易にし、かつ、閉じ込めの可能性を低減するために、破片が中敷を通過することを可能にする中敷が必要とされている。
【０００８】
一例によれば、履物に使用される中敷は、破片および水が中敷を通過して履物から出ることを可能にする開口を含む。図面を参照すると、履物の物品は、概して、番号１００で示されている。履物１００の様々な例が示されている。これらの様々な例からの特徴は、相互に交換されてもよいことが理解されるであろう。さらに、外観および他の装飾機能は、デザイナーの想像力によってのみ制限される。描写されるように、破片および液体が通過することを可能にする開口を有する中敷は、様々な形状、サイズおよび構成の開口を有する多種多様な設計で達成され得る。示されている例は限定的なものではない。
【０００９】
図１を参照すると、履物１００は、上面１２１および下面１２２を有する中敷１２０を含む。中敷１２０は、長さＬおよび幅Ｗを有し、中敷１２０は、縦軸Ａｌｏおよび横軸Ａｌａに対応する。中敷１２０は、着用者の足を受容するために好適な周縁１２３を画定する。理解されるように、周縁形状は、収容される足のサイズおよび美的考慮に応じて変化し得る。例えば、図１〜３では、足の形状にある程度合致する形状を有する中敷１２０が示されているが、図１１では、長方形形状を有する中敷５２０が描写されている。描写された例は限定的なものではない。
【００１０】
一般に、中敷１２０は、着用者の足Ｆの足裏に接触する部材である。厚肉部材および薄肉部材を含む、この点に関して任意の適切な部材であり得る。示された例では、履物１００がサンダルである場合、履物１００内により軽量化を提供するために、薄肉の部材または膜が使用される。中敷１２０は、剛性または柔軟性であり得る。中敷１２０は、以下に限定されないが、皮革、木材、コルク、サイザル、綿、麻、ガット、および他の天然繊維などの天然材料と、金属と、ゴムと、プラスチックおよび他のポリマー材料と、セラミックおよび他の合成材料と、それらの組み合わせと、を含む、履物に使用するのに好適な様々な材料から構築されてもよい。材料は、後述する外底１３０および甲皮１４０を含む中敷１２０または履物１００の他の構成要素で使用するための特徴を調整するために、処理または変更されてもよい。例えば、材料は、硬化剤、軟化剤、防水または撥水コーティングまたはそれらの組み合わせで処理されていてもよい。他の例では、履物１００の摩耗特性、靭性または他の特徴を改善するために、繊維補強、粒子補強、添加剤または他の材料を含むがこれらに限定されない補強要素が組み込まれてもよい。
【００１１】
中敷１２０は、単一の材料から形成されてもよく、または複数の構成要素が組み合わされて中敷１２０を形成してもよい。中敷１２０は、そこを貫通する少なくとも１つの開口１２５を画定する。開口１２５は、着用者の足と中敷１２０の上面１２１との間に閉じ込められる可能性を減少させる液体または破片を排出させるのを助けるために、水などの液体および破片が中敷１２０を通過する、すなわち上面１２１から下面１２２まで通過することを可能にするために提供される。開口１２５の形状および数は、美的または設計上の考慮に応じて変化してもよく、設計者の想像力によってのみ制限される。
【００１２】
図１〜３に描写された例では、中敷１２０は、略長方形の開口１２５を画定するスクリーン１２６を含む。スクリーン１２６は、図３に最もよく示されているように、外底１３０の側壁１３３に通されたコードまたは繊維などの一連の縦方向および横方向の部材から形成されてもよい。代替的に、スクリーン１２６は、外底１３０に取り付けられる成形部材であってもよい。縦向部材および横方向部材は、互いに対して均等に離間されてもよいし、開口１２５の様々なパターンを形成するために、異なる差で離間されてもよい。図１を参照して、縦方向部材および横方向部材は、履物１００の長さにわたってサイズおよび壁構成が変化する長方形の開口を形成してもよい。示された例では、縦軸に沿った履物の幅のばらつきの産物として、開口１２５の横方向の寸法は、幅に応じて変化する。図１を考慮すると、履物が最も幅広である前足部分において、開口１２５の横方向の寸法は、縦方向の寸法よりも大きい。つま先部分、中足部分、および踵部分などの履物１００が狭くなっている領域は、開口１２５の横方向の寸法は、縦方向の寸法と等しく、場合によっては縦方向の寸法よりも小さくなっている。
【００１３】
開口のサイズは、中敷１２０から排出される材料を考慮することにより異なっていてもよい。どのサイズの開口も、液体が中敷１２０から漏れることを可能にするのに適していると考えられる。破片を排出するために、破片の排出を容易にするサイズの開口が選択されてもよい。開口のサイズは、中敷１２０の材料の種類、幾何学的形状、または構造に基づいて変化してもよい。例えば、開口を取り囲む薄壁形状を使用する例では、薄壁は、破片が履物から出ることができるように開口を拡大することによって生じる圧力下で外側に曲がってもよい。同様に、開口壁が破片の通過に適応するように伸びることを可能にするために、柔軟性のある材料が中敷１２０のために選択されてもよい。他の例では、開口または開口構造の幾何学的形状は、破片が通過することを可能にするように開口が変形することを可能にし得る。例えば、開口よりも大きな縦方向寸法を有する破片の場合、破片からの開口への圧力により、開口が縦方向に伸びる一方で、横方向に圧縮され、破片が通過できるようにその構成を変化させてもよい。これらの例では、着用者が遭遇する破片よりも小さい開口は、開口が変形および伸びて破片が通過できるようにする能力に基づいて、破片を排出するのに適している場合がある。以下の説明では、中敷１２０のための様々な構成および材料の例を提供し、また、破片が中敷１２０を通過するのを容易にする開口サイズのいくつかの例も示す。これらの例は、限定的なものではない。
【００１４】
開口１２５のサイズは、その主要寸法、面積、またはメッシュ値に関して考慮され得る。例えば、開口１２５は、破片の通過を容易にするために、少なくとも０．５ｃｍの主要寸法を有し得る。別の例では、開口１２５は、破片を適切に排出するために、約１ｍｍ２より大きい面積を有し得る。他の例によれば、開口１２５は、約１ｍｍ２〜約５ｃｍ２の面積を有する。さらに別の例によれば、開口１２５は、約２ｍｍ２〜約４０ｍｍ２の面積を有する。代替的に、開口のサイズは、破片が通過することを可能にするのに好適なメッシュ数に基づいて構築されてもよい。例えば、約１〜約１０のメッシュは、約１０ｍｍ〜約２ｍｍの主寸法を有する粒子が開口１２５を通過することを可能にするのに適切であり得る。
【００１５】
図１〜３に示される例では、開口１２５は、約４ｍｍ２〜約８ｍｍ２の面積を有する。図３〜４を参照すると、代替の中敷２２０を有する履物１００が示されている。この例では、以下でより完全に説明される中敷２２０は、２ｍｍ２〜約４０ｍｍ２の範囲の様々なサイズの開口を有する。
【００１６】
図６Ａ〜６Ｂを参照すると、約４ｍｍ２〜約２５ｍｍ２の面積を有する開口を有する中敷３２０の別の例が示されている。この例では、開口３２５は格子状のパターンであり、パターンの縁部の開口のみが中敷の形状のために縮小した面積を有している。底の中央領域の下にある開口３２５は、一般に、約２５ｍｍ２の面積を有する５ｍｍ×５ｍｍの正方形の開口である。
【００１７】
図７〜１０は、約２５ｍｍ２の面積を有する規則的なサイズの開口４２５を画定する縦方向および横方向に延在する繊維（図９に最もよく示されている）の長方形のメッシュから形成された開口４２５を有する中敷４２０のさらなる別の例を示している。
【００１８】
縦方向繊維と横方向繊維との間に正方形の開口を画定する繊維メッシュから形成された中敷５２０を有する別の例が、図１１に描写されている。この例の開口５２５は、約４ｍｍ×４ｍｍであり、約１６ｍｍ２の面積を有する。
【００１９】
中敷６２０がウェビングから形成されているさらに別の例が、図１２に示される。この例の開口６２５は、約４ｍｍ２〜約２０ｍｍ２の面積を有する。本明細書の例によれば、中敷１２０内のすべての開口は、より小さい開口が水などの液体を排出させるのに有用であるので、破片を除去するように構成される必要はない。破片を除去する目的のための例に提供されたものよりも小さい開口は、液体の排水を容易にするため、または美的目的のために含まれてもよい。開口１２５の形状および構成は、美的目的のための設計者の想像力に応じて変えてもよい。例に描写されているように、様々なサイズの開口は、中敷の美観に寄与するのに使用され得る。また、以下に限定されないが、正多角形、不規則多角形、クローバー、ハート、星、文字、数字、単語などの認識可能な非多角形形状、およびアモルファス形状を含む多数の開口形状が使用されてもよい。形状は、単一の中敷内で変えてもよい。示されている例は限定的なものではない。
【００２０】
図１〜３を参照すると、履物１００はまた、中敷１２０に対して下方に延在する外底１３０を含み得る。外底１３０は、中敷の少なくとも一部を支持する。外底１３０は、示されるように、中敷１２０の周縁１２３の近くまたは周縁１２３に配置され得る。中敷１２０を支持するために、中敷１２０の少なくとも一部と接触し得る上面１３１としての外底１３０。外底１３０の下面は、示されるように、接地面１３２であり得る。この例では、中敷１３０は、中敷１２０の少なくとも一部に取り付けられている。外底１３０および中敷は、示されるように、接着剤、溶接、ボンド、ファスナー、縫い目、または穴に通した紐のうちの少なくとも１つによって取り付けられてもよい。図１〜３に示す例では、中敷１２０の周縁１２３に側壁を介して横方向部材と縦方向部材をひも状にして、中敷１２０および外底１３０を側壁に取り付ける。他の例では、中敷１２０の下面および外底１３０の上面は、接着剤、溶接またはボンドによって互いに取り付けられる。
【００２１】
追加の図に描写されるように、外底は、設計者の想像力によってのみ制限される様々な形状および構成を有してもよい。本明細書に示される例は、限定的なものではない。図１〜３を参照すると、外底１３０は、中敷１２０の周縁１２３を支持し、中央開口またはチャネル１３５を画定する、フレーム１３４を含み得る。示されるように、フレーム１３４は、チャネル１３５を通って延在するフレーム１３４の対向側を接続する交差部材１３６を含み得る。フレーム１３４は、単一のユニット部材または複数の部材から作製され得る。この例では、交差部材１３６は、中敷１２０のアーチ部分でフレーム１３４にまたがり、チャネル１３５を前足部分１３５Ａおよび踵部分１３５Ｂに分割する。
【００２２】
図１Ａ〜図１Ｃを参照すると、外底１３０の上面１３１は、その外縁で上方に延在する幾分凹状であり、側壁１３３を形成し得る。この例では、フレーム１３４は、外底１３０の上面１３１を形成する上部ランドを含む。上部ランドは、少なくとも１つのトラス状部材１３８によって下部ランドまたは基部１３７から離間されている。この例では、トラス状部材１３８は、上面１３１から下方に延在するにつれて、外方に延在する第１の脚１３８Ａおよび第２の脚１３８Ｂを含む。図１Ｂおよび１Ｃに示されるように、フレーム１３４は、第１の脚１３８Ａから第２の脚１３８Ｂまで延在するトラス支持体１３９をさらに含み得る。トラス状部材１３８の第１および第２の脚は、基部１３７上で支持され得る。
【００２３】
図１Ａ〜１Ｃおよび３に描写されるように、外底１３０の高さｈは、縦軸Ａｌｏに沿って変化し得る。この例では、踵部分の外底の高さ（ｈＣ）は、前足部分の高さｈＡより大きい。フレーム１３４の断面は、示される例における高さの変化に応じて変化する。断面のばらつきは、少なくとも第２の脚１３８Ｂの傾斜角度が前足部分から踵部分に変化するトラス状部材１３８においてより顕著である。この例では、基部１３７に対する第２の脚１３８Ｂの角度は、前足部分から踵部分へと増加する。前足部分から踵部分への基部１３７に対する第１の脚１３８Ａの角度のわずかな増加もまた、この例に存在する。このような高さのばらつきにより、この例では、トラス状部材１３８の断面が変化する。フレームおよびトラス状部材の断面はまた、外底１３０の上面１３１に関して変更されてもよい。凹みの程度は、図示のように側壁１３３の高さを増減させるように変化させてもよい。例えば、前足部分では、側壁１３３は低く、上面１３１の凹みは浅い（図１Ａ）。アーチ部分（図１Ｂ）では、側壁１３３は、前足部分よりも上方に大きく延在し、その結果、断面がより大きな凹みになる。踵部分（図１Ｃ）は、前足部分およびアーチ部分の両方よりも高い側壁の結果として、さらに大きな凹みを有する場合がある。しかしながら、これらの例は、側壁の高さおよび凹みが他の方法で変化してもよいし、縦軸に沿って一定のままであってもよいので、限定的ではない。図１Ａ〜１Ｃを参照して、上面１３１の形状は、外底の一方の側から他方の側へと変化してもよく、その結果、上面１３１の凹みおよびフレーム１３４の断面がさらに変化する。
【００２４】
示されているように、外底は、中敷１２０の反対側の接地面１３２を含み、この中敷１２０は、フレーム１３４と一体的に形成されていてもよいし、フレーム１３４に取り付けられていてもよい。この例では、接地面１３２は、フレーム１３４の基部１３７に取り付けられている。接地面１３２は、フレーム１３４とは異なる材料で構築されてもよい。より大きな静止摩擦を提供するために、接地面１３２は、適合性を向上させるためのより柔らかい材料、適切な摩擦係数を有する材料で構築されてもよく、または接地面は、静止摩擦を向上させるか、または他の所望の特性を提供するために、接地面と一体的に形成されるか、または接地面に取り付けられた静止摩擦要素をさらに含んでもよい。例えば、接地面１３２は、その上に成型されたトレッドＴを有するゴム層を含んでもよい。トレッドＴは、任意の形状またはパターンを有してもよく、支持面と係合するために外底１３０から外向きに延在するリブ、ブロック、または他の突起などの正の表面を含む。代替的に、トレッドＴは、負の表面、すなわち、溝、凹みまたはチャネルなどの内向きに延在する表面を含んでもよい。
【００２５】
外底１３０は、少なくとも１つのチャネル１３５（図２）を画定し、チャネル１３５は、中敷１２０から延在し、履物１００の外側に開いている。中敷１２０の複数のチャネル１２５の少なくとも１つは、チャネル１３５と連通している。このようにして、チャネル１３５と連通する開口１２５を通過する液体および破片は、チャネル１３５を介して履物１００から出てもよい。図示の例では、チャネル１３５は、外底１３０の接地面１３２に隣接する履物１００の外側に開いている。チャネル１３５は、例えば外底１３０の側面などの別の場所で履物の外側に開くように形成されてもよいことが理解されよう。
【００２６】
履物１００はまた、中敷１２０および外底１３０のうちの少なくとも１つに取り付けられた甲皮１４０を含んでもよく、甲皮１４０は、中敷１２０の上に足受容開口１４５を画定する。一般に、甲皮１４０の少なくとも一部は、履物１００を足Ｆに支持するために着用者の足Ｆの上を覆う。注記したように、甲皮１４０は、様々な形状および構成を有してもよい。図にはいくつかの例が提供されているが、これらの例は限定的なものではない。図１〜３および４〜５を参照すると、甲皮１４０は、中敷１２０または外底１３０のうちの少なくとも１つに取り付けられる端１４４を有するＹ字型ストラップ１４２を含む。端１４４は、着用時には、着用者の足の第１のつま先と第２のつま先との間を通過し得る。ストラップ１４２はまた、端に対して横方向に外向きに延在し、中敷１２０の周縁１２３の近くの中敷および外底のうちの少なくとも１つに取り付けられる部分１４６，１４７を含む。着用時には、部分１４６、１４７は、足Ｆの両側を包み込む。示された例では、部分１４６，１４７は、端１４４から横方向に外向きに延在するように後方に延在し、つま先の後方で足を覆う。部分１４６、１４７は、履物１００の中心Ｃの近くのその側壁１３３で外底１３０に取り付けられる。
【００２７】
図１〜図３を参照すると、中敷１２０は、複数の部材から構築される。この例では、中敷１２０は、図３で最も良好に分かるように、外底１３０の側壁１３３に通された糸または繊維１２６を含む。この例では、繊維１２６は、横方向、縦方向に延在し、複数の長方形開口１２５を有する格子状中敷１２０を形成する。中敷１２０内に様々なパターンの開口１２５を設けるように、繊維１２６が他の方向に通され得ることが分かるであろう。
【００２８】
図４および図５を参照して、代替の履物２２０を示す。中敷２２０は、開口１２５がそれに形成された単一の部材である。例えば、中敷２２０は、薄板材から形成され、そこに穴を形成するように打ち抜くか、または別様に切り抜かれ得る。代替的に、中敷２２０は、成形型において形成され得る。描写される例では、中敷２２０は、内部に所望の開口２２５パターンを有する成形型において形成された、ＥＶＡなどのポリマー材料で構築される。先で考察されるように、開口２２５のメッシュまたは主寸法は、示されるように中敷にわたってばらつきがあり得る。この例では、中敷２２５は、外底１３０によって画定されたチャネル１３５の対応する領域１３５Ａ、１３５Ｂと連通する前足部分２２７と踵部分２２８とを含む。示されるように、チャネル１３５は、外底１３０の上面の厚みのため、中敷の周縁２２３の内方に位置する。チャネル１３５にわたって位置する中敷２２０内の開口２２５は、示されるように、サイズと形状にばらつきがあり得る。この例では、前足部分２２７および踵部分２２８に、より大きな開口２２５が設けられ、これらの部分における破片の通過を容易にする。中敷２２０の土踏まず部分２２９は、これらの部分における足Ｆの母指球と踵との間の密接な関係が、破片がそこに挟まったときに大きな不快を生じさせるので、より小さな開口を有し得る。
【００２９】
図４および図５に描写する履物１００の外底は、図１〜図３に示すものと同様であり、同じ構成要素を特定するのに同じ参照番号を使用している。
【００３０】
図６Ａおよび６Ｂを参照して、追加の例を示す。図６Ａおよび６Ｂでは、中敷３２０は、一般的に、そこに形成された複数の長方形開口３２５を有する革部材を含む。
【００３１】
図６Ａを参照すると、中敷３２０は、中敷３２０への甲皮３４０の取り付けを容易にするように、そこから横外方に延在する少なくとも１つのフラップ３５５を含む。この例では、甲皮３４０は、図１〜５に示すものと同様のＹ字形状ストラップ３４２を含む。側部３４６、３４７は、示されるように、中敷３２０から延在する対応するフラップ３５５に縫い合わされ得る。さらなる代替として、ストラップ３４２は、端３４４から延在し、中敷３２０に縫い合わされるつま先ベッド３５６を含み得る。この実施形態では、つま先ベッド３５６が、中敷の開口を被覆し得るか、または、示されるように、中敷３２０が、つま先ベッド３５６の下でしっかりした状態であり得る。
【００３２】
図６Ａをさらに参照すると、外底３３０は、開口３２５の下の内部チャネルを画定するこれまでの例に示されるように、周縁に取り付けられ得る。これまでの例に対する代替として、外底３３０は、トラス状部材を省き、中敷３２０に直に取り付けられたトレッド層のみを含む。
【００３３】
図６Ｂは、図６Ａと同様の別の例を示す。この例は、中敷３２０とトレッドＴとの間にしっかりした緩衝作用層３６０を含む外底３３０を有する。緩衝作用層３６０は、紙ベースの製品、コルク、または革製品などの天然素材と、エチレン酢酸ビニル共重合体（ＥＶＡ）を含むが、それに限定されない熱可塑性合成樹脂発泡体などのポリマー製品と、ポリウレタン（ＰＵ）、発泡ゴム、ブタジエン、またはクロロプレンゴムを含むが、それらに限定されない熱硬化性樹脂発泡体と、を含む履物に好適ないずれの材料からも構築され得る。追加の緩衝作用層３６０により、図６Ｂの外底３３０Ｂは、図６Ａの外底３３０よりも厚い。図６Ｂの例は、着用者の前足および踵に係合する、全体として３６５で示される複数のストラップを含む別のタイプの甲皮を含む。ストラップ３６５は、外底３３０Ｂにくっ付くように中敷３２０内の溝３６６を通って延在し得る。ストラップ３６５は、そこを通して足のつま先を受容する中敷の前足部分の開口を画定する対の交差前足ストラップ３６７、３６８を含み得る。第１の踵ストラップ３７１および第２の踵ストラップ３７２は、足Ｆの踵を受容するための開口を画定するように、中敷の後部に設けられ得る。第１の踵ストラップ３７１は、踵の前で、足全体にわたって延在する一方、第２の踵ストラップ３７２は、第１の踵ストラップ３７１から後方に、踵の上の足首の背の周りに延在し得る。示されるように、踵ストラップ３７１、３７２は、１つ以上のサイドストラップ３６９によって、前足ストラップに取り付けられ得る。
【００３４】
図７〜１０は、別の例による、中敷４２０を有する履物１００を示す。この例では、中敷４２０は、踵がより厚く、かつフットパッド４２０のつま先に向かって内方に先細になる輪郭付けパッドで構築される。フットパッド４２０は、中敷４２０の踵部分の後方に長方形開口４２５を画定する。開口４２５は、中敷４２０に取り付けられるか、または中敷４２０内に成形されたスクリーン状挿入体４７５によって同様の開口にさらに分けられ得る。
【００３５】
この例では、外底４３０は、中敷４２０を支持するように位置する複数のトレッドブロック４８０を含む。例えば、外底４３０は、対の踵ブロック４８１、対の土踏まずブロック４８２、および対のつま先ブロック４８３を含み得る。この例では、ブロックは、互いに横方向に離間し、中敷４２０の全長に延在するチャネル４３５を画定する。ブロック４８０の上面４３１は、中敷４２０に支持を与え、これまでの例で説明したように、中敷４２０に取り付けられ得る。接地面４３２は、これまでの実施形態に見られるように、静止摩擦を高めるように形成され得、示されるようにトレッドＴを含み得る。この例では、ブロック４８０は、中敷の周縁４２３に位置し、開口４２５と連通するチャネル４３５を画定する。図７で最も良好に示されるように、ブロック４８０の一部は、開口４２５の一部を被覆し得る。他の例で見られるように、外底４３０の形状は、設計者の想像に従って、美観上、輪郭が付けられ得る。ブロック対はまた、互いに長手方向に離間して、踵と土踏まずとの間の部分、また土踏まずとつま先との間の部分により柔軟性をもたらし得る。甲皮４４０は、これまでの例で説明したように、中敷４２０または外底４３０に取り付けられ得る。代替的に、示されるように、甲皮４４０は、外底４３０と一体形成され得る。この例では、甲皮４４０は、ブロック４８０から上方に延在する、全体として４９０で示される、複数の甲皮部材を含む。例えば、踵ブロック４８１、土踏まずブロック４８２、およびつま先ブロック４８３はそれぞれ、対応して、踵甲皮部材４９１、土踏まず甲皮部材４９２、およびつま先甲皮部材４９３を含み得る。甲皮４４０は、つま先ブロック４８３の前端から上方に延在して形成された唇部４９４も含み得る。
【００３６】
甲皮４４０は、甲皮部材４９１にくっ付き、着用者の足首を受容するための開口を画定する、踵ストラップ組立体４９５をさらに含み得る。踵ストラップ組立体４９５は、足首のちょうど前方の足全体にわたって延在する第１のストラップと、踵の上の足首の背を回るように、第１のストラップから後方に延在する第２のストラップとを含み得る。前足ストラップ４９６は、土踏まず甲皮部材４９２およびつま先甲皮部材４９３のうちの少なくとも１つにくっ付き、それを通してつま先を受容するための開口を画定し、前足の上部に係合する。
【００３７】
図１１は、別の例による履物１００を示す。この例では、スクリーン状中敷５２０が提供される。スクリーン状中敷は、複数の開口５２５を画定する。外底５３０は、中敷５２０の周縁を取り囲む略垂直の壁を含む。壁の一部は、外底５３０の上面５３１が中敷５２０の上になるように、中敷の５２０の平面の上に延在し得る。外底５３０の壁は、開口５２５と連通するチャネル５３５を中敷５２０の下に画定する。破片は、開口を通過し、チャネル５３５に落とすことができる。外底５３０は、下部壁縁で接地面５３２を含む。この例では、接地面５３２は、下部壁縁に取り付けられたトレッド要素５３６によって形成されている。トレッド要素５３６は、図示の通り、踵部分、土踏まず部分、およびつま先部分に分けられ、第１の隙間および第２の隙間で分離され得る。代替的に、連続的なトレッド要素を使用することができる。この例では、トレッド要素５３６は、外底５３０の周縁に位置し、チャネルを周囲環境に開いた状態にし、破片が履物１００の底から出るのを可能にする。外底５３０またはトレッド要素５３６の厚みが、中敷５２０の下のチャネル５３５を被覆するか、または取り囲むように、異なり得ることが理解されよう。
【００３８】
甲皮５４０は、中敷５２０および外底５３０のうちの少なくとも１つに取り付けられる。甲皮５４０は、他の例で示す構成を含んで、いずれの構成も有し得る。図示の例では、甲皮５４０は、外底５３０の外側に取り付けられ、略ｘ字形で互いに交差して、着用者の足を受容するための開口を画定する、第１のストラップ５６７および第２のストラップ５６８を含む。
【００３９】
図１２を参照して、履物１００の別の例を示す。この例は、図１１に示す例と同様である。この例は、目の粗い編みで構成されている複数のストラップ６０１から形成されている中敷６２０を含む、略長方形を有する。編みＷは、ストラップ間の開口６２５を画定する。外底６３０には、上面６３１の近くに複数の溝Ｓがあり、中敷６２０を形成する際のストラップの使用を容易にし得る。この例では、溝Ｓは、縦ストラップおよび横ストラップを受容するように、外底６３０の周縁に等間隔に形成されている。外底６３０は、上面６３１と接地面６２３との間にクッション層６０２をさらに含み得る。より硬いトレッド層６０４が、クッション層６０２に裏を付け、接地面６２３を画定し得る。他の例で見られるように、接地面は、静止摩擦を高める材料、または、図示のトレッドＴを含むがそれに限定されるものではない、静止摩擦を高める表面特性を含む材料から作製され得る。
【００４０】
外底６３０は、中敷６２０の周縁６２３を支持するように形成され、周縁６２３の内方にチャネル６３５を画定する。示されるように、中敷６２０を形成するストラップは、チャネル６３５に弛み得る。中敷６２０内の開口６２５により、液体および破片が、そこを通過し、チャネル６３５を介して履物１００を出ることが可能になる。簡単にするために、図１２には、甲皮を示していない。これまでの例によるいずれの甲皮も、この例における中敷６２０および外底６３０のうちの少なくとも１つに取り付けられ、着用者の足を受容し、足に対して履物を支持するための開口を画定し得ることが理解されよう。
【実施例】
【００４１】
実施例１．履物であって、上面および下面を有する中敷であって、長さおよび幅を有し、縦軸および横軸を有し、そこを貫通する少なくとも１つの開口を画定する、中敷と、中敷に対し下方へ延在する外底であって、中敷の少なくとも一部を支持し、中敷とは反対側の接地面を有し、接地面から中敷に延在するチャネルを画定し、複数の開口のうちの少なくとも１つの開口が、チャネルと連通する、外底と、中敷および外底のうちの少なくとも１つに取り付けられた甲皮であって、中敷にわたる足受容開口を画定する、甲皮と、を備える、履物。
【００４２】
実施例２．少なくとも１つの開口が１ｍｍ２〜約５ｃｍ２の面積を有する、実施例１の履物。
【００４３】
実施例３．少なくとも１つの開口が、１以上１０以下のメッシュを有する、実施例１の履物。
【００４４】
実施例４．少なくとも１つの開口が、０．５ｃｍよりも大きい主寸法を有する、実施例１の履物。
【００４５】
実施例５．中敷が、その間に少なくとも１つの開口を画定する縦および部材から形成されたスクリーンを含む、実施例１の履物。
【００４６】
実施例６．縦部材および横部材が、編み合わされている、実施例５の履物。
【００４７】
実施例７．縦部材および横部材が、ポリマーから形成されている、実施例５の履物。
【００４８】
実施例８．少なくとも１つの開口が、第１の開口および第２の開口を含み、第１の開口および第２の開口が、互いに対して異なる構成を有する、実施例１の履物。
【００４９】
実施例９．外底が、中敷の周縁の下に位置し、チャネルが、周縁の内方に位置する、実施例１の履物。
【００５０】
実施例１０．外底が、土台から上方に延在して、外底の上面を支持する第１の脚および第２の脚を含む、トラス状部材を有するフレームを含む、実施例１の履物。
【００５１】
実施例１１．第１の脚が、土台に対してある角度で延在し、その角度が、フレームの前足部分からフレームの踵部分に、土台に対して増加する、実施例１０の履物。
【００５２】
実施例１２．外底が、上方に延在して、フレーム上で上方に支持される凹状の上面を形成する側壁を含み、フレームの踵部分における側壁の高さが、フレームの前足部分における側壁の高さよりも高い、実施例１０の履物。
【００５３】
実施例１３．外底が、前記フレームの土台に取り付けられたトレッドを含む、実施例１０の履物。
【００５４】
実施例１４．接地面が、トレッドを有する、実施例１の履物。
【００５５】
実施例１５．甲皮が、中敷および外底のうちの少なくとも１つに取り付けられた少なくとも１つのストラップを含む、実施例１の履物。
【００５６】
実施例１６．甲皮が、下方に延在して、そのつま先部分で中敷に接触する端と、端に対して横外向きに延在し、中敷の周縁の近くの端の後方で、中敷および外底のうちの少なくとも１つに取り付けられた、第１のストラップ部分および第２のストラップ部分と、を含むｙ、形状ストラップを含む、実施例１の履物。
【００５７】
実施例１７．履物が、端に隣接する中敷の部分を被覆するつま先パッドをさらに備える、実施例１６の履物。
【００５８】
実施例１８．外底が、緩衝作用層および静止摩擦を含む、実施例１の履物。
【００５９】
実施例１９．履物であって、複数の開口を画定する中敷であって、複数の開口のうちの１つが、０．５ｃｍより大きい主寸法を有する、中敷と、中敷と支持関係にある外底であって、開口に連通するチャネルを画定する、外底と、中敷および外底のうちの少なくとも１つに取り付けられた甲皮であって、足受容開口を画定する、甲皮と、を備える、履物。
【００６０】
実施例２０．履物であって、複数の開口を画定するポリマー材層を含む中敷であって、複数の開口のうちの少なくとも１つが、０．５ｃｍよりも大きな主寸法を有し、周縁を画定する、中敷と、上面および接地面を含む、外底であって、接地面が、上面から離間し、中敷の下に位置し、外底が、中敷の周縁に対して支持関係にあり、外底が、周縁の内方かつ中敷の下のチャネルを画定し、チャネルが、上方に開放して複数の開口と連通し、外底の接地面に隣接して外方に開放する、外底と、中敷および外底のうちの少なくとも１つに取り付けられた甲皮であって、足受容開口を画定する、甲皮と、を備える、履物。
【図１】
2021511870.tif 000003
【図１Ａ】
2021511870.tif 000004
【図１Ｂ】
2021511870.tif 000005
【図１Ｃ】
2021511870.tif 000006
【図２】
2021511870.tif 000007
【図３】
2021511870.tif 000008
【図４】
2021511870.tif 000009
【図５】
2021511870.tif 000010
【図６Ａ】
2021511870.tif 000011
【図６Ｂ】
2021511870.tif 000012
【図７】
2021511870.tif 000013
【図８】
2021511870.tif 000014
【図９】
2021511870.tif 000015
【図１０】
2021511870.tif 000016
【図１１】
2021511870.tif 000017
【図１２】
2021511870.tif 000018
【国際調査報告】
2021511870.tif 000019
2021511870.tif 000020
2021511870.tif 000021
2021511870.tif 000022